(57)【特許請求の範囲】
【請求項１】
便器形状を有する便器外郭体を、ボウル部を備えた後方に開口する前パーツと、前方に開口する後パーツで構成し、便器内装装置を後パーツ内に配設し、ボウル部に水を供給する給水路の下流側端部に先端ブロックを設け、該先端ブロックの前方接続部をボウル部に設けた後方に開口する給水口に着脱自在に嵌め込むと共に、先端ブロックの後部を便器内装装置に側方から固着具により固着し、該固着具を便器外郭体に対して着脱自在に設けた側カバーにより覆うことを特徴とする便器装置。
【請求項２】
上記給水路の先端ブロックよりも上流側の部分をフレキシブルな給水管で構成することを特徴とする請求項１に記載の便器装置。
【発明の詳細な説明】
【技術分野】
【０００１】
本発明は洗剤を含む洗浄液にてボウル部を洗浄する便器装置に関する。
【背景技術】
【０００２】
従来、例えば特許文献１に示すように洗剤を含む洗浄液を便器のボウル部内に供給する便器装置が利用されている。
【０００３】
また、近年では、便器外郭体２のボウル部３に水を供給する給水路の下流側端部に先端ブロック３３として混合装置３３ａを設け、該混合装置３３ａにおいて給水路を流れる水に洗剤を混合することで、洗浄効果の高い洗剤を含む洗浄液にてボウル部３を洗浄できるようにした便器装置が利用されている。
【０００４】
図１１及び図１２に示すように、この便器装置は、便器の外郭を構成する便器外郭体２を、ボウル部３を備えた後方に開口する前パーツＦと、前方に開口する後パーツＲとで構成してある。便器外郭体２の後部には、便器内装装置として、温水洗浄装置等の便器内装機器と、該便器内装機器を支持する機器ケース２４とからなる装置ユニット２３を内装してある。装置ユニット２３の前部は前パーツＦ内に挿入してあり、また、後部は便器外郭体２に対して着脱自在とした後パーツＲによって覆われる。また、前述の混合装置３３ａは上方から挿入したねじ具（図示せず）により機器ケース２４の前部に固着されるものであり、このように混合装置３３ａを取り付けた装置ユニット２３の前部を前パーツＦ内に挿入することで、混合装置３３ａはボウル部３近傍の前パーツＦ内に位置してボウル部３に接続される。
【特許文献１】特開２００８−２１３８号公報
【発明の開示】
【発明が解決しようとする課題】
【０００５】
ところで、上記混合装置３３ａを機器ケース２４に固着するためのねじ具は前パーツＦによって覆われるものであり、後パーツＲを取り外しても外部には露出しない構成となっている。従って、装置ユニット２３を便器外郭体２の後部に内装したままの状態では混合装置３３ａを取り外すことができず、混合装置３３ａのメンテナンスや交換等を行う場合には、狭いトイレ室内において混合装置３３ａを取り付けた装置ユニット２３ごと便器外郭体２から取り出すという煩雑な作業が必要となる。
【０００６】
本発明は上記の事情に鑑みてなされたものであって、給水路の下流側端部に設けられる混合装置等の先端ブロックのメンテナンスや交換等を容易に行うことができる便器装置を提供することを課題とする。
【課題を解決するための手段】
【０００７】
上記課題を解決するために本発明の請求項１に係る便器装置は以下の構成を有している。便器形状を有する便器外郭体２を、ボウル部３を備えた後方に開口する前パーツＦと、前方に開口する後パーツＲで構成する。便器内装装置を後パーツＲ内に配設する。ボウル部３に水を供給する給水路３２の下流側端部に先端ブロック３３を設ける。該先端ブロック３３の前方接続部をボウル部３に設けた後方に開口する給水口３６に着脱自在に嵌め込むと共に、先端ブロック３３の後部を便器内装装置に側方から固着具５９により固着する。該固着具５９を便器外郭体２に対して着脱自在に設けた側カバー２１により覆う。
【０００８】
また、請求項２は請求項１の構成に加えて以下の構成を有している。上記給水路３２の先端ブロック３３よりも上流側の部分をフレキシブルな給水管３８で構成する。
【発明の効果】
【０００９】
請求項１に係る発明では、便器から側カバーを取り外すことにより、混合装置を便器内装装置に固着する固着具を露出させることができ、このため便器外郭体に便器内装装置を内装したままの状態で、先端ブロックを便器内装装置から取り外すことが可能となり、先端ブロックのメンテナンスや交換を簡単に行うことができる。
【００１０】
また請求項２に係る発明では、請求項１に係る発明の効果に加えて、給水路の先端ブロックよりも上流側の部分をフレキシブルな給水管で構成したので、先端ブロックを便器内装装置から取り外す際には、フレキシブルな給水管を変形させて先端ブロックを移動することが可能となり、これにより給水管を便器装置から取り外すことなく、先端ブロックを便器内装装置から容易に取り外すことができ、先端ブロックのメンテナンスや交換等をより一層簡単に行うことができる。
【発明を実施するための最良の形態】
【００１１】
以下、本発明を添付図面に示す実施形態に基づいて説明する。図１乃至図１０に示す本実施形態の便器装置１は、ボウル部３を備えた合成樹脂製の便器外郭体２と、便器外郭体２に内装されて便器外郭体２を支持・補強する金属製の支持フレーム４を備えている。
【００１２】
図１に示すように、支持フレーム４は、床に設置される平面視環状の下フレーム材５と、下フレーム材５の後部の両側に立設した後フレーム材６を備えている。
【００１３】
下フレーム材５の後部にはトラップケース７が取り付けられる。トラップケース７に内装されるトラップはターントラップ方式のもので、図３に示すようにフレキシブルなトラップ筒８により構成される。トラップ筒８の一端はボウル部３の下部から後方に突出する排水筒部９に接続され、他端は自由端となる。
【００１４】
トラップ筒８はトラップケース７に設けたモータにより回動させることで、自由端側の開口を上向きとしたトラップ構造を形成する状態と、自由端側の開口を下向きとして前記トラップ構造を解除して排水される状態とを選択できるようになっている。トラップケース７の下端部は床に設けた排出孔（図示せず）に連通接続され、前述のトラップ筒８のトラップ構造を解除することで、ボウル部３内の溜め水はトラップ筒８及びトラップケース７を介して排出孔から排出される。
【００１５】
図２に示すように便器外郭体２は後方に開口する前パーツＦと前方に開口する後パーツＲで構成される。
【００１６】
便器外郭体２の前側の外郭を構成する前パーツＦは、平面視面略Ｕ字状のスカート部１０と、スカート部１０内に位置するボウル部３と、ボウル部３上に位置するリム部１１とで構成され、これら合成樹脂製のスカート部１０、ボウル部３、リム部１１は溶着又は接着により固着一体化してある。
【００１７】
ボウル部３の外側を覆うスカート部１０の下端部の内側には下フレーム材５の前部が嵌め込まれ、この状態でスカート部１０をねじ具等により支持フレーム４に固着することで前パーツＦは支持フレーム４に対して固着される。
【００１８】
リム部１１は図３に示すように前パーツＦの上面を構成して便座１３を載置するための便座載置部１２を備えている。便座載置部１２の後縁には図６及び図８に示すように全長に亘って水返し部１４を一体に立ち上げてあり、水返し部１４の内部には後方に開口する装置収納部１５を形成している。
【００１９】
水返し部１４の左右方向の両側端部の夫々は中央部よりも後方に突出する立上部１７で構成してあり、各立上部１７は図４に示すようにさらにスカート部１０の後縁よりも後方に突出している。
【００２０】
上記便器外郭体２には構造物として便器内装装置が内装されるものである。便器内装装置としては、温水洗浄装置２７等の便器内装機器２５や、便器内装機器２５を設けた機器ケース２４、既述の支持フレーム４、トラップケース７等が挙げられる。
【００２１】
本実施形態では、便器内装装置を、温水洗浄装置２７、脱臭装置２６、洗浄液吐出装置３０、制御回路２８等の便器内装機器２５を機器ケース２４に設けることで構成した装置ユニット２３としている。
【００２２】
装置ユニット２３は便器外郭体２の後部の上部に内装されるものであり、図７に示すように、便器内装機器２５を構成する温水洗浄装置２７、脱臭装置２６、洗浄液吐出装置３０、制御回路２８等を一群にまとめて機器ケース２４に設けることで構成される。
【００２３】
一群の便器内装機器２５のうち、図１０に示す洗浄液吐出装置３０は、ボウル部３内に水又は水に界面活性剤を含む洗剤を混合してなる洗浄液を選択的に吐出してボウル部３の内面を洗浄するものであり、便器外郭体２の側端部に内装される。
【００２４】
図３に示すように、洗浄液吐出装置３０は、ボウル部３に水を供給する給水路３２と、給水路３２の下流側端部に設けた先端ブロック３３を備えており、当該実施形態では先端ブロック３３として給水路３２から供給された水に洗剤を混合する混合装置３３ａを設けている。なお、本実施形態では先端ブロック３３として混合装置３３ａを設けたが、先端ブロック３３を給水路の下流側端部を構成するノズルで構成する等、適宜変更可能である。
【００２５】
給水路３２は図示しない水道管に接続される。給水路３２の上流部には電磁弁からなる給水制御弁３７を設けてあり、該給水制御弁３７を開閉することにより給水路３２への水の供給の有無が切り替えられる。
【００２６】
図９に混合装置３３ａを示す。混合装置３３ａの内部構造は図１０を参照されたい。混合装置３３ａは、給水路３２の下流側端部を構成する水流路部３９と、循環洗剤路４５の一部を構成する循環流路部４３と、循環流路部４３と水流路部３９を連通接続する分岐流路部４４と、循環流路部４３に設けた循環ポンプ５３とをユニット化することで構成される。
【００２７】
水流路部３９は前後に長い流路であり、上流側となる後側から順に設けた、接続ノズル４６、エジェクタ管４７、吐出ノズル４８により構成されている。
【００２８】
エジェクタ管４７の前後方向の中間部は他部よりも流路面積を小さくした小径部４９で構成され、小径部４９には洗剤混入口部５５が設けてある。エジェクタ管４７の小径部４９よりも上流側を構成する上流部５０には、先細となった接続ノズル４６の先端部を接続してある。接続ノズル４６の後端部には給水路３２の一部を構成するフレキシブルな給水管３８の下流端が着脱自在に接続される。
【００２９】
エジェクタ管４７の上流部５０の接続ノズル４６の先端近傍部分には吸気口部５２を設けてある。吸気口部５２には一端を大気に開放した空気供給路５１の他端が接続される。
【００３０】
小径部４９の洗剤混入口部５５には上下に長い分岐流路部４４を接続してある。分岐流路部４４の上端は循環流路部４３に一体に接続してあり、循環流路部４３の上流端は循環ポンプ５３の吐出側に接続してある。循環ポンプ５３の吸込側と循環流路部４３の下流端は循環洗剤路４５の主流路部５６によって連通接続され、該主流路部５６と循環流路部４３によって循環洗剤路４５が構成される。
【００３１】
主流路部５６の途中には洗剤タンク４１が設けられ、循環ポンプ５３を運転することで洗剤タンク４１内の洗剤が循環洗剤路４５を循環するようになっている。また、分岐流路部４４には弁５７を設けてある。弁５７は循環ポンプ５３の運転時には開き、停止時には閉じるように設定してあり、これにより循環ポンプ５３の停止時において循環洗剤路４５から水流路部３９に洗剤が漏れ出ることが防止される。
【００３２】
エジェクタ管４７の小径部４９よりも下流側を構成する下流部５４は混合装置３３ａの吐出口を構成する吐出ノズル４８の後端部に接続してある。吐出ノズル４８の先端部により前方接続部が構成され、該吐出ノズル４８の先端部はボウル部３の後部に設けた後方に開口する給水口３６内に着脱自在に嵌め込まれ、ボウル部３内に臨む。
【００３３】
上記洗浄液吐出装置３０を用いてボウル部３に水を供給する場合は、循環ポンプ５３を停止した状態で給水制御弁３７を開く。これにより、水道管からの水が給水路３２を経て吐出ノズル４８の先端からボウル部３内へと水が吐出される。
【００３４】
また、この時、先細となった接続ノズル４６からエジェクタ管４７の上流部５０に水が流れこむことにより接続ノズル４６の先端付近に負圧が発生し、これにより外部の空気が空気供給路５１及び吸気口部５２を経てエジェクタ管４７を流れる水に混入される。そして、この気泡を混合した水は、エジェクタ管４７において大径の上流部５０から小径部４９を経て大径の下流部５４へ流れる際に加圧・減圧され、この圧力変化に伴い水に含まれる気泡が剪断される。さらにこの気泡は下流部５４に設けたメッシュからなる整流板５８にて細分化されて微小化され、この後、ボウル部３に吐出される。
【００３５】
また、上記洗浄液吐出装置３０を用いてボウル部３に洗剤を混合した水を供給する場合は、循環ポンプ５３を運転した状態で給水制御弁３７を開く。この場合も上記と同様に水道管から給水路３２に流れこんだ水には吸気口部５２から空気が混入されるが、このとき小径部４９を流れる水には循環洗剤路４５を循環する洗剤の一部が分岐流路部４４及び洗剤混入口部５５を経て混入される。従って、この場合は、水に洗剤を混合し且つ微小化された気泡を含む洗浄液がボウル部３に吐出される。
【００３６】
上記のように微小気泡を含む水又は洗浄液をボウル部３に吐出した場合、この水又は洗浄液はボウル部３の上部内面に略水平に吐出されることでボウル部３の内面に沿って周回しつつ汚れを落としていく。このとき水又は洗浄液に含まれる微小気泡がボウル部３の内面の衝突した際に高周波振動を引き起こし、これによりボウル部３の内面を効率良く洗浄できる。また、ボウル部３に吐出されるのが洗剤を含む洗浄液の場合には、洗剤が有する洗浄効果によりボウル部３の内面を一層綺麗に洗浄できる。
【００３７】
ここで、混合装置３３ａは、図４乃至図６に示すように便器外郭体２の側端部に内装されるものであり、その大部分が前パーツＦ内に収納されるものであり、該混合装置３３ａの後部は機器ケース２４に固着される。
【００３８】
図９に示す混合装置３３ａは循環ポンプ５３を設けた後部が機器ケース２４への被着部６３となる。被着部６３の便器外郭体２の外側に位置する側面にはボス部６０が突設してあり、該ボス部６０の中心には便器外郭体２の外側の側方に開口する雌ねじ部６１が形成されている。また、被着部６３には上方に突出する被係合部６２が形成されている。被係合部６２は断面Ｔ字状に形成され、その上端部には下部よりも左右の幅が広くなった引掛け部６５が形成されている。
【００３９】
一方、機器ケース２４の前部の混合装置３３ａ側の側端部には図５に示すように固着部６４が形成されている。また、図７に示すように機器ケース２４の前部の側端部の被係合部６２に対応する箇所には被係合部６２が係合される係合部として上下に貫通する引掛け孔６６が形成されている。引掛け孔６６の後部は前部よりも幅が広く被係合部６２が通過可能な通し孔６８としてあり、引掛け孔６６の前部は被係合部６２の引掛け部６５よりも幅の狭い係合孔６９としてある。
【００４０】
上記機器ケース２４に混合装置３３ａを取り付けるには、まず機器ケース２４の下方より混合装置３３ａの被係合部６２の引掛け部６５を引掛け孔６６の通し孔６８に通して上方に位置させ、ここから混合装置３３ａを前方に移動する。これにより被係合部６２の下部を引掛け孔６６に沿って前方にスライドさせ、引掛け部６５を引掛け孔６６の係合孔６９の両側縁部上に係合する。また、このとき被着部６３と固着部６４とが側方から見て重複し、ボス部６０の突端面が固着部６４の便器外郭体２内側の側面に当接すると共に、雌ねじ部６１を固着部６４に設けた貫通孔（図示せず）に連通させる。そして、この状態で、固着具５９を構成するねじ具５９ａを側方から固着部６４の貫通孔を通して被着部６３の雌ねじ部６１に螺合することにより、混合装置３３ａの後部は機器ケース２４に固着される。
【００４１】
上記装置ユニット２３の前部は前パーツＦの装置収納部１５に挿入されて水返し部１４によって覆われ、この状態で機器ケース２４は支持フレーム４の後部両側に立設した後フレーム材６上に載置され、両後フレーム材６にねじ具等により固着される。
【００４２】
上記により、装置ユニット２３の機器ケース２４上に設けた温水洗浄装置２７の局部洗浄ノズル２９や脱臭装置２６のダクト３１の端部開口はボウル部３内に臨む。また、上記のように装置ユニット２３を前パーツＦに挿入することで、混合装置３３ａの前端部に設けた吐出ノズル４８がボウル部３の給水口３６に嵌め込まれ、ボウル部３内に連通することとなる。
【００４３】
上記装置ユニット２３に設けた混合装置３３ａの前部は図４及び図８に示すように前パーツＦ内に収納されて覆い隠される。また、混合装置３３ａの被係合部６２及びこれが係合する機器ケース２４の係合孔６９を設けた部分は対応する立上部１７内に収納されて覆い隠される。また、図４に示すように機器ケース２４の固着部６４及びねじ具５９ａは、立上部１７のスカート部１０よりも後方に突出した部分の下方で且つスカート部１０の上端部の後方に位置する。
【００４４】
次に便器外郭体２の後側の外郭を構成する後パーツＲについて説明する。
【００４５】
後パーツＲは、上カバー２０及び両側の側カバー２１及び背面カバー２２で構成され、該後パーツＲの上部に装置ユニット２３の後部が収納される。
【００４６】
上カバー２０は機器ケース２４に着脱自在に取り付けられ、該上カバー２０により装置ユニット２３の上側が覆われる。また、上カバー２０には便座１３や便蓋３４が回動自在に取り付けられる。
【００４７】
背面カバー２２は支持フレーム４や上カバー２０に着脱自在に取り付けられ、該背面カバー２２により機器ケース２４や機器ケース２４の下方に位置するトラップケース７の後方が覆われる。
【００４８】
両側の側カバー２１は機器ケース２４や前パーツＦに着脱自在に取り付けられ、各側カバー２１により機器ケース２４やトラップケース７の夫々の側方が覆われる。
【００４９】
また、混合装置３３ａを設けた側の側カバー２１により固着部６４及び該固着部６４を混合装置３３ａの被着部６３に締結するねじ具５９ａの頭部が覆い隠される。
【００５０】
上記混合装置３３ａのメンテナンスや交換等を行う場合は例えば以下のように行う。まず、図４に示すように混合装置３３ａの被着部６３に対応する側カバー２１を便器外郭体２から取り外し、該側カバー２１を取り外すことによって形成された開口７０からねじ具５９ａの頭部を露出させる。
【００５１】
次に、便器外郭体２の外側から開口７０を介してねじ具５９ａの頭部を操作し、該ねじ具５９ａを取り外す。この後、混合装置３３ａを後方に移動し、吐出ノズル４８をボウル部３の給水口３６から引き抜くと共に、被係合部６２の下部を引掛け孔６６に沿って後方にスライドして通し孔６８に位置させる。そして、混合装置３３ａを下方に移動して、被係合部６２を通し孔６８から下方に引き出し、この混合装置３３ａを開口７０から便器外郭体２の外部に取り出す等してメンテナンスや交換を行う。また、メンテナンス後の混合装置３３ａや新たな混合装置３３ａの取り付け作業は上記取り外し時の作業を逆の順序で行えば良い。
【００５２】
上記混合装置３３ａの取り外しは装置ユニット２３を支持フレーム４に取り付けて便器外郭体２に内装したままの状態で行うことができる。従って、混合装置３３ａのメンテナンスや交換等を簡単に行うことができる。
【００５３】
また、本実施形態では、給水路３２の混合装置３３ａよりも上流側の部分をフレキシブルな給水管３８で構成してある。このため上記のように混合装置３３ａをボウル部３及び機器ケース２４から取り外す際には、フレキシブルな給水管３８を変形させて混合装置３３ａを後方や下方に移動することが可能となり、これにより給水管３８を装置ユニット２３から取り外すことなく、混合装置３３ａをボウル部３及び機器ケース２４から容易に取り外すことができ、混合装置３３ａのメンテナンスや交換等をより一層簡単に行うことができる。
【図面の簡単な説明】
【００５４】
【図１】本発明の実施の形態の一例の便器装置を示し、側カバーを取り外した状態を示す斜視図である。
【図２】同上の便器装置の全体斜視図である。
【図３】同上の便器装置を模式的に示す説明図である。
【図４】図１の要部拡大斜視図である。
【図５】図４のスカート部の図示を省略した要部斜視図である。
【図６】同上の上カバー、側カバー、スカート部の図示を省略した要部側面図である。
【図７】同上のリム部及び上カバーの図示を省略した要部斜視図である。
【図８】同上の上カバーの図示を省略した要部斜視図である。
【図９】同上の混合装置の斜視図である
【図１０】同上の洗浄液吐出装置の断面図である。
【図１１】従来の便器装置の全体斜視図である。
【図１２】同上のスカート部及び側カバーの図示を省略した要部側面図である。
【符号の説明】
【００５５】
Ｆ  前パーツ
Ｒ  後パーツ
１  便器装置
２  便器
３  ボウル部
２１  側カバー
２３  装置ユニット
２４  機器ケース
２５  便器内装機器
３２  給水路
３３  混合装置
３６  給水口
３８  給水管
５９  固着具
【図１】
0004826601.tif 000002
【図２】
0004826601.tif 000003
【図３】
0004826601.tif 000004
【図４】
0004826601.tif 000005
【図５】
0004826601.tif 000006
【図６】
0004826601.tif 000007
【図７】
0004826601.tif 000008
【図８】
0004826601.tif 000009
【図９】
0004826601.tif 000010
【図１０】
0004826601.tif 000011
【図１１】
0004826601.tif 000012
【図１２】
0004826601.tif 000013